(57)【特許請求の範囲】
【請求項１】
一端に取付部５、他端側に挿入部６を有する引手本体１において、挿入部６に柔軟性素材から形成したカバー２を嵌挿し、挿入部６にカバー抜脱阻止用の抜止部１０を複数個配設し、挿入部６に貫通する透孔部１４を設けるとともに、側縁に表面へ突出する突条部１７を設けて抜止部１０を形成し、カバー２は挿入部６を収容する収容部２２を有し、収容部２２の内面に抜止部１０の透孔部１４と略同形の嵌合部２３を設けて被抜止部２１を形成してなることを特徴とするスライドファスナー用スライダーの引手。
【請求項２】
一端に取付部５、他端側に挿入部６を有する引手本体１において、挿入部６に柔軟性素材から形成したカバー２を嵌挿し、挿入部６にカバー抜脱阻止用の抜止部１０を複数個配設し、挿入部６に貫通する透孔部１４を設けるとともに、側面に側方へ突出する突起１３を設けて抜止部１０を形成し、カバー２は挿入部６を収容する収容部２２を有し、収容部２２の内面に抜止部１０の透孔部１４と略同形の嵌合部２３を設けて被抜止部２１を形成してなることを特徴とするスライドファスナー用スライダーの引手。
【請求項３】
抜止部１０は挿入部６の面上に突出する突部１１を設けてなる請求項１または２記載のスライドファスナー用スライダーの引手。
【請求項４】
抜止部１０は挿入部６の側面を切り欠いた切欠部１６を設けてなる請求項１記載のスライドファスナー用スライダーの引手。
【発明の詳細な説明】
【技術分野】
【０００１】
この発明は、スライドファスナー用スライダーにおける引手であって、引手は引手本体と引手本体を被覆するカバーとから形成した引手に関するものである。
【背景技術】
【０００２】
従来の衣服などに用いられるスライドファスナーにおけるスライダーの引手を肌触りや摘んだ時の感触を良くするために、引手の周囲を柔軟な弾力性のある素材で被覆し、または引手の端部に柔軟な弾力性のある素材を接続して用いる引手が知られている。
【０００３】
一例として、図１３に示すように、スライダーの引手は、引手および取付体から形成し、引手の端部に係止孔と係止突起を設け、取付体は本体とクリップから形成し、この本体はポリウレタン、シリコーンゴム、熱可塑性エラストマーの成形体から形成し、本体の一端にクリップ挿入孔を設け、この挿入孔にＵ字状のクリップの端部を埋装し、クリップの内面に掛止部を突設し、本体のクリップ挿入孔に引手を挿入し、クリップの掛止部を引手の係止孔と係止突起に係合させて固定したスライドファスナー用スライダーの引手が知られている。
【０００４】
また、図１４に示すように、スライダーの胴体への取付側が細く反対の先端側へ向けて漸次太く形成し中央から先端へ向け漸次細く形成し外形がなだらかに湾曲する形のスライダーの引手にポリウレタン、シリコーンゴム、熱可塑性エラストマーの成形体から形成した引手カバーを被覆し、肌触りや感触のよい引手に仕上げたスライドファスナー用スライダーの引手が知られている。
【特許文献１】米国特許第４８７３７５０号明細書
【特許文献２】実用新案登録第３０８５５４６号公報
【発明の開示】
【発明が解決しようとする課題】
【０００５】
前述の図１３に示したスライドファスナー用スライダーの引手が、引手と取付体とから形成され、取付体は本体とクリップとから形成され、取付体を作製するには、本体とクリップとを組み立てるための工程が必要となり、取付体の作製に手数と時間を要し、短期間で作製することは難しいなど問題点がある。
【０００６】
また、図１４に示したスライドファスナー用スライダーの引手は、外形がなだらかに湾曲する形状であるため、柔軟な弾力性を備えたカバーを被覆しても、使用中にカバーが滑動して容易に引手から抜脱する恐れがあるなど問題点がある。
【０００７】
この発明は、上述の問題点を考慮して発明されたものであり、請求項１記載の発明は、引手が肌触りのよい感触のよい柔軟性を備え引手本体とカバーとが長期にわたって安定した状態を維持し、引手とカバーは引っ張りによる抜脱を阻止し、かつ捻り方向の力が作用しても、カバーは引手に対して回動する動作を阻止するスライドファスナー用スライダーの引手を提供することが主たる目的である。
【０００８】
請求項２記載の発明は、引手が肌触りのよい感触のよい柔軟性を備えた引手本体とカバーとが長期にわたって安定した状態を維持し、引手とカバーは引っ張りによる抜脱を阻止するため、引手本体の両側面に突起を設けてカバーを圧迫し食い込ませ、カバーの抜脱を阻止するスライドファスナー用スライダーの引手を提供することが主たる目的である。
【０００９】
請求項３記載の発明は、請求項１または２記載の発明の目的に加え、引手本体の表面に突部を設けてカバーを圧迫し食い込ませて、カバーの抜脱を阻止したスライドファスナー用スライダーの引手を提供することが目的である。
【００１０】
請求項４記載の発明は、請求項１記載の発明の目的に加え、引手本体の両側面を切り欠いた切欠部を設けてカバーを圧迫し食い込ませて、カバーの抜脱を阻止したスライドファスナー用スライダーの引手を提供することが目的である。
【課題を解決するための手段】
【００１１】
前記の目的を達成するため、この発明のうち請求項１記載の発明は、引手を形成する引手本体１とカバー２とにおいて、引手本体１はスライダーの胴体に取り付けるための取付部５を一端に設け、他端側にカバー２を挿入できる挿入部６を有し、挿入部６には柔軟性素材から形成したカバー２を嵌挿し、挿入部６にカバー２が抜脱するのを防ぐ為の機構を備えた抜止部１０を複数個配設し、抜止部１０として挿入部６に表裏に貫通する透孔部１４を設け、かつ側縁に表裏へ突出する突条部１７を設け、カバー２は挿入部６を収容できる収容部２２を設け、この収容部２２の内面に抜止部１０の透孔部１４を略同形の嵌合部２３を設けて被抜止部２１を形成し、透孔部１４と嵌合部２３とを嵌合させてカバー２の抜脱を阻止したスライドファスナー用スライダーの引手を主な構成とする。
【００１２】
請求項２記載の発明は、引手を形成する引手本体１とカバー２とにおいて、引手本体１はスライダーの胴体に取り付けるための取付部５を一端に設け、他端側にカバー２を挿入できる挿入部６を有し、挿入部６には柔軟性素材から形成したカバー２を嵌挿し、挿入部６にカバー２が抜脱するのを防ぐための機構を備えた抜止部１０を複数個配設し、抜止部１０として挿入部６に表裏に貫通する透孔部１４を設け、かつ側面に側方へ突出する突起１３を設け、カバー２は挿入部６を収容できる収容部２２を設け、この収容部２２の内面に抜止部１０の透孔部１４と略同形の嵌合部２３を設けて被抜止部２１を形成し、透孔部１４と嵌合部２３とを嵌合させてカバー２の抜脱を阻止したスライドファスナー用スライダーの引手を主な構成とする。
【００１３】
請求項３記載の発明は、請求項１または２記載の発明の構成に加え、引手本体１に設ける抜止部１０は、挿入部６の表面上に突出する突部１１を設けて、挿入部６をカバー２に圧着させて抜脱を阻止したスライドファスナー用スライダーの引手である。
【００１４】
請求項４記載の発明は、請求項１記載の発明の構成に加え、引手本体１に設ける抜止部１０は、挿入部６の側面を切り欠いた切欠部１６を設けて、挿入部６をカバー２に圧着させて抜脱を阻止したスライドファスナー用スライダーの引手である。
【発明の効果】
【００１５】
この出願の発明の効果として、請求項１記載の発明は、一端に取付部、他端側に挿入部を有する引手本体において、挿入部に柔軟性素材から形成したカバーを嵌挿し、挿入部にカバー抜脱阻止用の抜止部を複数個配設し、挿入部に貫通する透孔部を設けるとともに、側縁に表面へ突出する突条部を設けて抜止部を形成し、カバーは挿入部を収容する収容部を有し、収容部の内面に抜止部の透孔部と略同形の嵌合部を設けて被抜止部を形成したことによって、下記の効果を奏する。
【００１６】
引手本体の挿入部に柔軟性素材のカバーを嵌挿しているので、柔軟性のある品質のよい引手に仕上げることができ、また挿入部にカバーの抜脱を阻止するための複数の抜止部として貫通する透孔部を配し、カバーの収容部に透孔部と略同形の嵌合部を設けて嵌合させるので、引手本体からカバーの抜脱を未然に防ぎ、かつ引手本体の側縁に突出する突条部を設けることにより、引手に捻り方向の力が作用しても、カバーは引手本体に対して回動する動きを封止させる効果がある。
【００１７】
請求項２記載の発明は、一端に取付部、他端側に挿入部を有する引手本体において、挿入部に柔軟性素材から形成したカバーを嵌挿し、挿入部にカバー抜脱阻止用の抜止部を複数個配設し、挿入部に貫通する透孔部を設けるとともに、側面に側方へ突出する突起を設けて抜止部を形成し、カバーは挿入部を収容する収容部を有し、収容部の内面に抜止部の透孔部と略同形の嵌合部を設けて被抜止部を形成したことによって、下記の効果を奏する。
【００１８】
引手本体の挿入部に柔軟性素材のカバーを嵌挿しているので、柔軟性のある品質のよい引手に仕上げることができ、また挿入部にカバーの抜脱を阻止するための複数の抜止部として貫通する透孔部を配し、カバーの収容部に透孔部と略同形の嵌合部を設けて嵌合させるので、カバーの抜脱を未然に防ぎ、かつ引手本体の側面に側方へ突出する突起を設けることにより、突起がカバーに対して圧迫し、その結果突起がカバーに食い込み、カバー抜脱を強力に阻止する効果がある。
【００１９】
請求項３記載の発明は、請求項１または２記載の発明の効果に加え、抜止部は挿入部の面上に突出する突部を設けたことによって、表裏へ突出する突部が収容部の上下壁を圧迫して食い込み、カバーが挿入部から抜脱するのを透孔部と協動して阻止する効果がある。
【００２０】
請求項４記載の発明は、請求項１記載の発明の効果に加え、抜止部は挿入部の側面を切り欠いた切欠部を設けたことによって、カバーの内面に突設した嵌合部が透孔部に嵌入し、また収容部の両側に突設した嵌合部が引手本体の側面に設けた切欠部に嵌入し、透孔部と切欠部の双方で嵌入するからカバーは引手本体に対し強力に圧着し抜脱を確実に阻止する効果があるなど、この発明が奏する効果はきわめて顕著である。
【発明を実施するための最良の形態】
【００２１】
この発明のスライドファスナー用スライダーの引手は、引手本体１とカバー２とから形成し、引手本体１はアルミニウム合金、亜鉛合金などの金属を用いてダイカスト手段により成形し、引手本体１は一端にスライダーの胴体へ取り付けるための取付部５と他端側にカバー２を嵌挿するための挿入部６を形成し、挿入部６には各種形状のカバー２の抜脱阻止用の抜止部１０を形成し、抜止部１０は突部１１、突起１３、突条部１７、膨大部１８、または透孔部１４、切欠部１６さらにこれらの抜止部１０を複数併設して形成する。カバー２は柔軟性素材としてポリウレタン、シリコーンゴム、熱可塑性エラストマーなどを用いて射出成形手段により形成し、カバー２は引手本体１の挿入部６へ嵌挿するための挿入孔２０を設け、この挿入孔２０の内面に抜止部１０に対応する被抜止部２１を設け、または挿入孔２０の内面に抜止部１０を圧迫して食い込ませ、引手本体１から柔軟で弾力性を備えたカバー２の抜脱を阻止することを図る。
【実施例１】
【００２２】
図１〜９に示す実施例１のスライドファスナー用スライダーの引手について説明すると、引手は図２，３に示すように引手本体１の一端に環状の取付部５を形成してスライダー胴体の引手取付部に取り付けることができるように形成する。引手本体１の他端側にはカバー２を嵌挿するための扁平形状の挿入部６を形成し、この挿入部６に表裏方向へ貫通する透孔部１４を穿設し、挿入部６の長さ方向に間隔を空けて複数の透孔部１４が設けられ、各透孔部１４は形状が異なり、挿入部６の先端寄りに設けられた透孔部１４は横長の長円形を呈し、取付部５寄りに設けられた透孔部１４は台形を呈する。また挿入部６の表裏面には複数の突部１１が突設され、突部１１は透孔部１４の孔縁に沿って配設され、挿入部６の幅方向に連続して突出している。さらに挿入部６の先端にやや幅広な膨大部１８を設け、膨大部１８の外側縁は円弧状を呈している。また挿入部６の両側縁部に連続して表裏へ突出する長尺状の突条部１７を突設する。ここで複数の透孔部１４と突部１１、膨大部１８および突条部１７は、カバー２を挿入部６に嵌挿した際、カバー抜脱阻止用の抜止部１０を形成する。
【００２３】
一方、カバー２は図４，５に示すように引手本体１の挿入部６の形状と略合致する形状を呈し、挿入部６を収容することができる収容部２２を設け、収容部２２の一端に挿入部６を収容部２２内へ挿入するための挿入孔２０を設け、収容部２２の上下壁の内面のうち一面は平坦状に形成され、他面には挿入部６に設けた長円形および台形の透孔部１４にそれぞれ略一致する形状の嵌合部２３を突設し、収容部２２と嵌合部２３は、カバー２を挿入部６に嵌挿した際、カバー抜脱阻止用の被抜止部２１を形成する。なお、収容部２２の上下壁の両内面から対向して嵌合部２３を突設するものであってもよい。
【００２４】
上記の形態に形成した引手本体１とカバー２とは、図４，５に示すように引手本体１の挿入部６の先端の膨大部１８をカバー２の挿入孔２０に挿入し、挿入孔２０を弾性変形させて拡開することによって挿入する。この際挿入部６に形成した表面へ突出する突部１１および突条部１７は、カバー２の挿入孔２０を拡開しながら進入させ、挿入孔２０に突設した嵌合部２３が挿入部６に形成した透孔部１４に嵌入するまで押し込み、図６，７に示すようにカバー２の嵌挿を完了する。
【００２５】
引手本体１の挿入部６にカバー２を嵌挿すると、図８，９からも明らかなとおり、挿入部６に設けた長円形および台形の透孔部１４にそれぞれ対応する嵌合部２３が嵌入し、かつ収容部２２に透孔部１４の周囲を収容するとともに、この収容部２２の上下壁内面を突部１１および突条部１７が圧迫して食い込むことにより、カバー２が引手本体１から抜脱するのを阻止する。また突条部１７が収容部２２の上下壁内面を圧迫することにより、引手に捻り方向の力が作用しても、カバー２は引手本体１に対して回動する動作が阻止される。
【００２６】
上記のように突部１１、突条部１７、膨大部１８、透孔部１４からなる抜止部１０と収容部２２、嵌合部２３からなる被抜止部２１とは、互いに協働して引手本体１の挿入部６からカバー２が抜脱するのを完全に阻止する機能を有している。なお抜止部１０として働く透孔部１４の形状は、円形、長方形、三角形などの形状であってもよく、また膨大部１８の形状は矩形であってもよい。さらに突条部１７の長さ寸法は随意に形成することができる。
【実施例２】
【００２７】
図１０，１１に示す実施例２のスライドファスナー用スライダーの引手は、図１０に示すように引手本体１の一端に環状の取付部５を設け、他端側に扁平形状の挿入部６を設け、挿入部６の先端にやや幅広で外側縁が円弧状を呈する膨大部１８を設け、挿入部６の長さ方向に間隔を空けて、挿入部６の先端寄りに長円形の透孔部１４を、取付部５寄りに台形の透孔部１４を穿設している。また挿入部６の表裏面には、各透孔部１４の孔縁に沿って、挿入部６の幅方向に連続する突部１１が突設し、さらに挿入部６の両側面に取付部５側が垂直で膨大部１８側が傾斜する小突起状の突起１３を挿入部６の長さ方向に間隔を空けて複数個突設し、これら透孔部１４、表裏へ突出する突部１１および両側面の突起１３はそれぞれカバー２の抜脱阻止用の抜止部１０を形成する。
【００２８】
カバー２は収容部２２の上下壁の一面に長円形および台形の透孔部１４に嵌入できる透孔部と略一致する形状の嵌合部２３を突設する。カバー２を挿入部６に嵌挿したとき、表裏へ突出する突部１１および両側面に突設した突起１３は、収容部２２の上下壁を圧迫して食い込み、カバー２の挿入部６からの抜脱を阻止するものである。
【実施例３】
【００２９】
実施例３としてあげた図１２に示す引手本体１は、引手本体１の挿入部６に設置する抜止部１０の変形例を示すものであり、引手本体１の外形は挿入部６の両側面に長さ方向に間隔を空けて複数の切欠部１６を凹設した形状である。この引手本体１の挿入部６に表裏へ突出する突部１１を数個突設し、この突部１１間であって両側の切欠部１６の間に台形を呈する透孔部１４を穿設する。そして両側の外側縁に表裏へ突出する断片状の突条部１７を数個突設して抜止部１０を形成する。
【００３０】
カバー２は、収容部２２の一面または両面に挿入部６に設けた台形の透孔部１４に嵌入できる嵌合部２３を突設した形態であるが、実施例１のカバー２とは多少異なる。このカバー２を挿入部６に嵌挿すると、挿入部６の面上に設置した突部１１と透孔部１４に対し、カバー２の内面に突設した嵌合部２３が透孔部１４に嵌入し、またカバー２の収容部２２の両側に突設した嵌合部２３が挿入部６の両側面に形成した切欠部１６に嵌入し、かつ突部１１が収容部２２の上下壁の内面を圧迫することにより、カバー２は引手の引っ張り方向へ抜脱するのを確実に阻止するとともに、挿入部６の両側縁に断片状に表裏へ突設した突条部１７が収容部２２の上下壁の内面を圧迫することによって、カバー２が引手の捻り方向へ回動することを確実に阻止できる利点がある。
【産業上の利用可能性】
【００３１】
この発明のスライドファスナー用スライダーの引手の活用例として、衣服全般は勿論、特に幼児用、老人用向けの衣服に最適であり、その他バッグ、ケース、シューズなどの開口部に取り付けて用いる。
【図面の簡単な説明】
【００３２】
【図１】引手の分解斜視図である。（実施例１）
【図２】引手本体の正面図である。（実施例１）
【図３】引手本体の図２におけるＡ−Ａ断面図である。（実施例１）
【図４】カバーの図５におけるＣ−Ｃ断面図である。（実施例１）
【図５】カバーの図４におけるＢ−Ｂ断面図である。（実施例１）
【図６】引手本体にカバーを嵌挿する初期の状態を示す要部断面図である。（実施例１）
【図７】引手本体とカバーの図６におけるＤ−Ｄ拡大断面図である。（実施例１）
【図８】引手本体にカバーを嵌挿した状態を示す要部断面図である。（実施例１）
【図９】引手本体とカバーの図８におけるＥ−Ｅ拡大断面図である。（実施例１）
【図１０】引手本体の正面図である。（実施例２）
【図１１】引手本体とカバーの嵌挿時の要部拡大断面図である。（実施例２）
【図１２】引手本体の斜視図である。（実施例３）
【図１３】公知の引手における引手と取付体の対応状態を示す断面図である。
【図１４】他の公知のスライドファスナーの正面図である。
【符号の説明】
【００３３】
１            引手本体
２            カバー
５            取付部
６            挿入部
１０            抜止部
１１            突部
１３            突起
１４            透孔部
１６            切欠部
１７            突条部
１８            膨大部
２０            挿入孔
２１            被抜止部
２２            収容部
【図１】
0004043424.tif 000002
【図２】
0004043424.tif 000003
【図３】
0004043424.tif 000004
【図４】
0004043424.tif 000005
【図５】
0004043424.tif 000006
【図６】
0004043424.tif 000007
【図７】
0004043424.tif 000008
【図８】
0004043424.tif 000009
【図９】
0004043424.tif 000010
【図１０】
0004043424.tif 000011
【図１１】
0004043424.tif 000012
【図１２】
0004043424.tif 000013
【図１３】
0004043424.tif 000014
【図１４】
0004043424.tif 000015